(57)【特許請求の範囲】
【請求項１】
顕微鏡本体と、該顕微鏡本体に支持されたステージと、該ステージの上に載置された試料を下から観察する観察光学系とを備えた倒立顕微鏡において、
前記顕微鏡本体は、
前記観察光学系を構成する対物レンズと結像レンズとの間に光学装置を装着可能であって、
前記ステージを支持する複数のステージ支持部と、
前記結像レンズと前記対物レンズとの間に位置する態様で、前記複数のステージ支持部のうち少なくとも前後で対となるステージ支持部を相互に接続する梁部と、
前記梁部の下方域に形成される前記光学装置を装着するための装着領域と、
前記装着領域に、前記光学装置を装着するための前後で対になる嵌合溝と、
を有し、前記ステージ支持部は、支持部本体と、前記梁部とともに形成され、装着した光学装置の光軸と前記対物レンズの光軸とが合致するように、スライド調整可能に前記支持部本体に取り付けられたスライド体とを備えたことを特徴とする倒立顕微鏡。
【請求項２】
少なくとも一部が前記ステージ支持部または前記梁部に取り付けられ、前記対物レンズを光軸方向に移動させる準焦装置を備えたことを特徴とする請求項１に記載の倒立顕微鏡。
【請求項３】
前記梁部は、
装着した光学装置の上面全域を覆う大きさを有し、かつ、その上面外周部の少なくとも一部に上方に突出する縁部を有したことを特徴とする請求項１または２に記載の倒立顕微鏡。
【請求項４】
前記顕微鏡本体は、
前記結像レンズが取り付けられ、かつ、前記光学装置が装着可能に構成された下部構造体と、
前記複数のステージ支持部と前記梁部とが一体に形成され、装着した光学装置の光軸と前記対物レンズの光軸とが合致するように、スライド調整可能に前記下部構造体に取り付けられた上部構造体とを有したことを特徴とする請求項１または２に記載の倒立顕微鏡。
【請求項５】
顕微鏡本体と、該顕微鏡本体に支持されたステージと、該ステージの上に載置された試料を下から観察する観察光学系とを備えた倒立顕微鏡において、
前記顕微鏡本体は、
前記観察光学系を構成する対物レンズと結像レンズとの間に光学装置を装着可能であって、
前記ステージを支持する複数のステージ支持部と、
記結像レンズと前記対物レンズとの間に位置する態様で、前記複数のステージ支持部のうち少なくとも前後で対となるステージ支持部を相互に接続する梁部と、
記梁部の下方域に形成される前記光学装置を装着するための装着領域と、
前記装着領域に、前記光学装置を装着するための前後で対になる嵌合溝と、
を有し、前記梁部は、装着した光学装置の上面全域を覆う大きさを有し、かつ、その上面外周部の少なくとも一部に上方に突出する縁部を備えたことを特徴とする倒立顕微鏡。
【請求項６】
顕微鏡本体と、該顕微鏡本体に支持されたステージと、該ステージの上に載置された試料を下から観察する観察光学系とを備えた倒立顕微鏡において、
前記顕微鏡本体は、
前記観察光学系を構成する対物レンズと結像レンズとの間に光学装置を装着可能であって、
前記ステージを支持する複数のステージ支持部と、
前記結像レンズと前記対物レンズとの間に位置する態様で、前記複数のステージ支持部のうち少なくとも前後で対となるステージ支持部を相互に接続する梁部と、
前記梁部の下方域に形成される前記光学装置を装着するための装着領域と、
前記装着領域に、前記光学装置を装着するための前後で対になる嵌合溝と、
を有し、前記顕微鏡本体は、前記結像レンズが取り付けられ、かつ、前記光学装置が装着可能に構成された下部構造体と、前記複数のステージ支持部と前記梁部とが一体に形成され、装着した光学装置の光軸と前記対物レンズの光軸とが合致するように、スライド調整可能に前記下部構造体に取り付けられた上部構造体とを備えたことを特徴とする倒立顕微鏡。
【請求項７】
前記梁部は、
装着した光学装置の上面全域を覆う大きさを有し、かつ、その上面外周部の少なくとも一部に上方に突出する縁部を有したことを特徴とする請求項６に記載の倒立顕微鏡。
【発明の詳細な説明】
【技術分野】
【０００１】
本発明は、観察対象となる標本を下から観察する倒立顕微鏡に関する。
【背景技術】
【０００２】
対物レンズと結像レンズとの間に新たな光学系を構成する光学装置を装着可能な倒立顕微鏡が提案されている。この倒立顕微鏡は、対物レンズと結像レンズとの間に光学装置を装着可能にするために、ステージと該ステージを支持するステージ支持部材との間にスペーサ部材を配設可能にしてある。そして、新たに装着する光学装置の厚みに対応するスペーサ部材を選択して配置することにより、ステージを嵩上げするとともに、嵩上げによって設けられた空間を利用して、対物レンズと結合レンズとの間に新たな光学装置を装着する（たとえば、特許文献１参照）。
【０００３】
また、ステージと対物レンズとをユニット化したステージユニットと、該ステージユニットが着脱可能な顕微鏡本体と、該顕微鏡本体とステージユニットとの間に装着可能であって、装着することによってステージの高さが変わる光学装置とを備えた倒立顕微鏡が提案されている（たとえば、特許文献２参照）。
【先行技術文献】
【特許文献】
【０００４】
【特許文献１】特開平１１−７２７１５号公報
【特許文献２】特開平１１−３４４６７５号公報
【発明の概要】
【発明が解決しようとする課題】
【０００５】
ところで、上述した特許文献１に記載された倒立顕微鏡は、対物レンズと結合レンズとの間に新たな光学装置を複数配置する場合には、新たに配置する複数の光学装置の厚みに対応するスペーサ部材を選択して配置することにより、ステージを大きく嵩上げする必要がある。
【０００６】
しかしながら、ステージを大きく嵩上げすると、ステージの剛性が下がり、振動等の影響を受けやすくなったり、熱の影響を受けやすくなったりするため好ましくない。
【０００７】
また、上述した特許文献２に記載された倒立顕微鏡は、顕微鏡本体とステージユニットとの間に光学装置を装着するため、光学装置の上面と下面とが取付面となり、平行度などの精度や剛性を考慮する必要あり、光学装置を安価に提供できない。また、容易に光学装置を組み換えることができない。
【０００８】
本発明は、上記に鑑みてなされたものであって、対物レンズから接眼レンズに至る観察光学系に光学装置を装着可能であって、かつ、安価で剛性に優れた倒立顕微鏡を提供することを目的とする。
【課題を解決するための手段】
【０００９】
上述した課題を解決し、目的を達成するために、本発明は、顕微鏡本体と、該顕微鏡本体に支持されたステージと、該ステージの上に載置された試料を下から観察する観察光学系とを備えた倒立顕微鏡において、前記顕微鏡本体は、前記観察光学系を構成する対物レンズと結像レンズとの間に光学装置を装着可能であって、前記ステージを支持する複数のステージ支持部と、前記結像レンズと前記対物レンズとの間に位置する態様で、前記複数のステージ支持部のうち少なくとも前後で対となるステージ支持部を相互に接続する梁部と、前記梁部の下方域に形成される前記光学装置を装着するための装着領域と、前記装着領域に、前記光学装置を装着するための前後で対になる嵌合溝と、を有し、前記ステージ支持部は、支持部本体と、前記梁部とともに形成され、装着した光学装置の光軸と前記対物レンズの光軸とが合致するように、スライド調整可能に前記支持部本体に取り付けられたスライド体とを備えたことを特徴とする。
【００１０】
また、本発明は、上記倒立顕微鏡において、少なくとも一部が前記ステージ支持部または前記梁部に取り付けられ、前記対物レンズを光軸方向に移動させる準焦装置を備えたことを特徴とする。
【００１１】
また、本発明は、上記倒立顕微鏡において、前記梁部は、装着した光学装置の上面全域を覆う大きさを有し、かつ、その上面外周部の少なくとも一部に上方に突出する縁部を有したことを特徴とする。
また、本発明は、上記倒立顕微鏡において、前記顕微鏡本体は、前記結像レンズが取り付けられ、かつ、前記光学装置が装着可能に構成された下部構造体と、前記複数のステージ支持部と前記梁部とが一体に形成され、装着した光学装置の光軸と前記対物レンズの光軸とが合致するように、スライド調整可能に前記下部構造体に取り付けられた上部構造体とを有したことを特徴とする。
【００１２】
また、本発明は、顕微鏡本体と、該顕微鏡本体に支持されたステージと、該ステージの上に載置された試料を下から観察する観察光学系とを備えた倒立顕微鏡において、前記顕微鏡本体は、前記観察光学系を構成する対物レンズと結像レンズとの間に光学装置を装着可能であって、前記ステージを支持する複数のステージ支持部と、記結像レンズと前記対物レンズとの間に位置する態様で、前記複数のステージ支持部のうち少なくとも前後で対となるステージ支持部を相互に接続する梁部と、記梁部の下方域に形成される前記光学装置を装着するための装着領域と、前記装着領域に、前記光学装置を装着するための前後で対になる嵌合溝と、を有し、前記梁部は、装着した光学装置の上面全域を覆う大きさを有し、かつ、その上面外周部の少なくとも一部に上方に突出する縁部を備えたことを特徴とする。
また、本発明は、顕微鏡本体と、該顕微鏡本体に支持されたステージと、該ステージの上に載置された試料を下から観察する観察光学系とを備えた倒立顕微鏡において、 前記顕微鏡本体は、前記観察光学系を構成する対物レンズと結像レンズとの間に光学装置を装着可能であって、 前記ステージを支持する複数のステージ支持部と、前記結像レンズと前記対物レンズとの間に位置する態様で、前記複数のステージ支持部のうち少なくとも前後で対となるステージ支持部を相互に接続する梁部と、前記梁部の下方域に形成される前記光学装置を装着するための装着領域と、前記装着領域に、前記光学装置を装着するための前後で対になる嵌合溝と、を有し、前記顕微鏡本体は、前記結像レンズが取り付けられ、かつ、前記光学装置が装着可能に構成された下部構造体と、前記複数のステージ支持部と前記梁部とが一体に形成され、装着した光学装置の光軸と前記対物レンズの光軸とが合致するように、スライド調整可能に前記下部構造体に取り付けられた上部構造体とを備えたことを特徴とする。
また、本発明は、上記倒立顕微鏡において、前記梁部は、装着した光学装置の上面全域を覆う大きさを有し、かつ、その上面外周部の少なくとも一部に上方に突出する縁部を有したことを特徴とする。
【発明の効果】
【００１３】
本発明にかかる倒立顕微鏡の顕微鏡本体は、観察光学系を構成する対物レンズと結像レンズとの間に光学装置を装着可能であって、ステージを支持する複数のステージ支持部と、結像レンズと対物レンズとの間に位置する態様で、複数のステージ支持部のうち少なくとも前後で対となるステージ支持部を相互に接続する梁部とを有したので、対物レンズから接眼レンズに至る観察光学系に光学装置を装着可能であって、かつ、安価で剛性に優れた倒立顕微鏡を提供できる。
【００１４】
また、本発明にかかる倒立顕微鏡のステージ支持部は、支持部本体と、梁部とともに形成され、スライド調整可能に支持部本体に取り付けられたスライド体を有するので、装着した光学装置の光軸と対物レンズの光軸とが一致するように調整できる。
【図面の簡単な説明】
【００１５】
【図１】図１は、本発明の実施の形態１である倒立顕微鏡を示す概念斜視図である。
【図２】図２は、図１に示した倒立顕微鏡の内部構造を示す断面図である。
【図３】図３は、本発明の実施の形態２である倒立顕微鏡を示す概念斜視図である。
【図４】図４は、図３に示した倒立顕微鏡の内部構造を示す断面図である。
【図５】図５は、図３に示した倒立顕微鏡の構造を示す分解斜視図である。
【図６】図６は、光軸がずれる理由を説明するための説明図である。
【図７】図７は、本発明の実施の形態３である倒立顕微鏡を示す概念斜視図である。
【図８】図８は、図７に示した倒立顕微鏡の構造を示す分解斜視図である。
【発明を実施するための形態】
【００１６】
以下に、本発明にかかる倒立顕微鏡の実施の形態を図面に基づいて詳細に説明する。なお、この実施の形態によりこの発明が限定されるものではない。
【００１７】
（実施の形態１）
図１は、本発明の実施の形態１である倒立顕微鏡を示す概念斜視図であり、図２は、図１に示した倒立顕微鏡の内部構造を示す断面図である。
【００１８】
図１および図２に示すように、倒立顕微鏡は、観察対象となる試料を下から観察する顕微鏡であって、顕微鏡本体１と、顕微鏡本体１に支持されたステージ２と、ステージ２の上に載置された試料を下から観察する観察光学系３とを備えている。
【００１９】
顕微鏡本体１は、箱状を呈しており、前後方向に延びる基部１ａと、基部１ａの後縁部から上方に延びる後壁部１ｂと、基部１ａの前縁部から上方に延びる前壁部１ｃと、後壁部１ｂの上部と前壁部１ｃの上部とを相互に接続する梁部１ｄとを有している。そして、梁部１ｄの下方域に光学装置４の装着領域が画成され、上方域に対物レンズ３１（図２参照）の取付領域が画成される。
【００２０】
装着領域を画成する後壁部１ｂの内側と前壁部１ｃの内側とには、前後で対になる嵌合溝１ｂ１、１ｃ１が上下方向に三つ形成してある。対になる嵌合溝１ｂ１、１ｃ１は、光学装置４を装着するためのもので、左右方向に延在しており、光学装置４に設けた角柱状の凸部４ａが嵌合可能である。この嵌合溝１ｂ１、１ｃ１に光学装置４に設けた凸部４ａがガイドされ、顕微鏡本体１に光学装置４が装着される。そして、装着された光学装置４は、凸部４ａと嵌合溝１ｂ１、１ｃ１とによって位置決めされ、固定される。
【００２１】
図２に示すように、後壁部１ｂには上述した三つの嵌合溝１ｂ１のそれぞれに連通する嵌合孔１ｂ２が上下方向に並んで形成してある。嵌合孔１ｂ２は、光源５を装着するためのもので、光源５に設けた円柱状の凸部５ａが嵌合可能である。この嵌合孔１ｂ２に光源５に設けた凸部５ａがガイドされ、顕微鏡本体１に光源５が装着される。そして、装着された光源５は、凸部５ａと嵌合孔１ｂ２とによって位置決めされ、固定される。
【００２２】
取付領域を画成する梁部１ｄの上面には、レボルバ６と準焦装置７とが取り付けてある。レボルバ６は、回転可能かつ昇降可能であって、複数の対物レンズ３１が装着可能である。そして、レボルバ６に装着された対物レンズ３１のうち一の対物レンズ３１が光軸上に配置される。準焦装置７は、対物レンズ３１の焦点を試料に合わせるためもので、準焦装置７を操作することにより、レボルバ６が昇降し、レボルバ６に装着した対物レンズ３１の焦点が試料に合焦する。
【００２３】
図１および図２に示すように、後壁部１ｂの上面１ｂ３と前壁部１ｃの上面１ｃ３とは、水平方向に延びる同一平面を構成しており、ステージ２は、後壁部１ｂの上面１ｂ３と前壁部１ｃの上面１ｃ３とに跨って取り付けられ、支持される。
【００２４】
ステージ２は、上面と下面とがそれぞれ平坦な板状体であって、その上面に試料が載置される。また、ステージ２のほぼ中央には、試料が落下しない程度の開口（透孔）２ａが設けてあり、観察光が通過するようになっている。
【００２５】
図２に示すように、観察光学系３は、試料の観察を可能にするもので、顕微鏡本体１と顕微鏡本体１に取り付けられた鏡筒８とにわたって設けられている。観察光学系３は、上述した対物レンズ３１のほか、結像レンズ３２、ミラー３３、リレーレンズ３４、結像レンズ３５、接眼レンズ３６を有している。
【００２６】
結像レンズ３２、ミラー３３、リレーレンズ３４は、顕微鏡本体１の内部に取り付けてあり、対物レンズ３１を通過することにより平行光束となった観察光は、結像レンズ３２を通過することにより結像され、ミラー３３、リレーレンズ３４を経由して鏡筒８に入射する。
【００２７】
結像レンズ３５、接眼レンズ３６は、鏡筒８の内部に取り付けてあり、顕微鏡本体１から入射した観察光は、結像レンズ３５を通過することにより結像され、接眼レンズ３６を覗くことにより観察される。
【００２８】
また、図１および図２に示す倒立顕微鏡は、透過照明装置９を備えている。透過照明装置９は、顕微鏡本体１の上方域に取り付けられている。透過照明装置９は、支柱９１と、支柱９１に取り付けられた光源９２と、支柱９１に取り付けられた投光装置９３と、支柱９１に取り付けられたコンデンサレンズ９４とを有している。
【００２９】
上述した実施の形態１である倒立顕微鏡において、装着領域に光学装置４を装着する場合には、光学装置４に設けた凸部４ａを顕微鏡本体１に設けた嵌合溝１ｂ１、１ｃ１に挿入する。光学装置４に設けた凸部４ａは顕微鏡本体１に設けた嵌合溝１ｂ１、１ｃ１にガイドされ、顕微鏡本体１に光学装置４が装着される。そして、装着された光学装置４は、凸部４ａと嵌合溝１ｂ１、１ｃ１とによって位置決めされ、固定される。
【００３０】
つぎに、光源５に設けた凸部５ａを顕微鏡本体１に設けた嵌合孔１ｂ２に挿入する。光源５に設けた凸部５ａは顕微鏡本体１に設けた嵌合孔１ｂ２にガイドされ、顕微鏡本体１に光源５が装着される。そして、装着された光源５は、凸部５ａと嵌合孔１ｂ２とによって位置決めされ、固定される。
【００３１】
上述した実施の形態１である倒立顕微鏡の顕微鏡本体１は、後壁部１ｂの上部と前壁部１ｃの上部とを接続する梁部１ｄを有し、梁部１ｄの下方域に光学装置４の装着領域が画成され、上方域に対物レンズ３１の取付領域が画成される。したがって、梁部１ｄは、結像レンズ３２と対物レンズ３１との間に位置し、前後で対となる後壁部１ｂと前壁部１ｃとを相互に接続するので、顕微鏡本体１は剛性に優れたものとなる。また、光学装置４の装着数に関わらず、準焦装置７をステージ２の近傍に配置しているので、小型化が可能で剛性に優れたものとなる。
【００３２】
なお、上述した実施の形態１である顕微鏡本体において、後壁部１ｂおよび前壁部１ｃをステージ２を支持する支持部としたが、後壁部１ｂおよび前壁部１ｃのように壁体に限られるものではなく、前後で対となりステージ２を支持するものであれば、支柱（図示せず）であってもよい。
【００３３】
また、梁部１ｄの上面に準焦装置７を取り付けるものとしたが、準焦装置７の少なくとも一部が梁部１ｄまたはステージ支持部（後壁部１ｂまたは前壁部１ｃ）に取り付けるものであればよい。
【００３４】
（実施の形態２）
図３は、本発明の実施の形態２である倒立顕微鏡を示す概念斜視図であり、図４は、図３に示した倒立顕微鏡の内部構造を示す断面図である。また、図５は、図３に示した倒立顕微鏡の構造を示す分解斜視図である。
【００３５】
実施の形態２である倒立顕微鏡は、顕微鏡本体１を下部構造体１０と上部構造体１１とにより構成する点を除いて、実施の形態１である倒立顕微鏡と異なる点はない。このため、顕微鏡本体１について説明し、実施の形態１である倒立顕微鏡と同一の構成については同一の符号を付して説明を省略する。
【００３６】
図６に示すように、上述した実施の形態１である倒立顕微鏡において、対物レンズ３１と結像レンズ３２との間に光学装置４を装着すると、光が光学装置４に内蔵したミラー４１を通過する際に屈折し、光軸Ｏは後方にずれる。特に、対物レンズ３１と結像レンズ３２との間に複数の光学装置４を装着した場合や光学装置４に内蔵したミラー４１の厚みが厚い場合には、光軸Ｏが大きく後方にずれることになる。
【００３７】
実施の形態２である倒立顕微鏡は、対物レンズ３１と結像レンズ３２との間に光学装置４を装着した場合に、装着した光学装置４の光軸Ｏ１と対物レンズ３１の光軸Ｏ２とが合致するように、対物レンズ３１の光軸Ｏ２を後方にスライド調整可能にしたものであって、上述したように、実施の形態２である倒立顕微鏡の顕微鏡本体１は、下部構造体（支持部本体）１０と上部構造体（スライド体）１１とにより構成する。
【００３８】
図３および図４に示すように、下部構造体１０は、顕微鏡本体１の下部を構成する部分であり、前後方向に延びる基部１０ａと、基部１０ａの後縁部から上方に延びる後壁下部１０ｂと、基部１０ａの前縁部から上方に延びる前壁下部１０ｃとを有している。後壁下部１０ｂの上面１０ｂ３（図５参照）と前壁下部１０ｃの上面１０ｃ３（図５参照）とは、水平方向に延びる同一平面を構成しており、上部構造体１１は後壁下部１０ｂの上面１０ｂ３と前壁下部１０ｃの上面１０ｃ３とに跨って取り付けられる。
【００３９】
上部構造体１１は、顕微鏡本体１の上部を構成する部分であり、下部構造体１０の上に取り付けられる。上部構造体１１は、下部構造体１０に取り付けた場合に下部構造体１０の後壁下部１０ｂから上方に延びる後壁上部１１ｂと、下部構造体１０の前壁下部１０ｃから上方に延びる前壁上部１１ｃと、後壁上部１１ｂと前壁上部１１ｃを高さ方向略中央で接続する梁部１１ｄとを有している。また、後壁上部１１ｂの上面１１ｂ３と前壁上部１１ｃの上面１１ｃ３とは、水平方向に延びる同一面を構成しており、ステージ２が後壁上部１１ｂの上面１１ｂ３と前壁上部１１ｃの上面１１ｃ３とに跨って取り付けられる。
【００４０】
図５に示すように、上述した上部構造体１１は、上部構造体１１に設けた長孔１１ｂ４、１１ｃ４（図８参照）を挿通したネジ１２（図８参照）を下部構造体に設けたメネジ１０ｂ４、１０ｃ４に螺合させることにより、下部構造体１０に固定される。なお、下部構造体１０と上部構造体１１との間にクリック機構や位置決めするための当て付け面（図示せず）を設け、光学装置４を取り付けない場合や取付個数に応じて上部構造体１１を所定の位置に位置決めできるようにしてもよい。
【００４１】
上述した実施の形態である倒立顕微鏡において、装着した光学装置４の光軸Ｏ１と対物レンズ３１の光軸Ｏ２とが合致するように調整する場合には、下部構造体１０に上部構造体１１を固定しているネジを緩め、装着した光学装置４の光軸Ｏ１と対物レンズ３１の光軸Ｏ２とが合致するように、上部構造体１１を移動させる。その後、ネジを締め下部構造体１０に上部構造体１１を固定する。
【００４２】
上述した実施の形態２である倒立顕微鏡の顕微鏡本体１は、下部構造体１０と下部構造体１０に取り付けられた上部構造体１１とを備え、下部構造体１０に対して上部構造体１１を移動させることができるので、下部構造体１０に装着した光学装置４の光軸Ｏ１と上部構造体１１に取り付けた対物レンズ３１の光軸Ｏ２とが合致するように調整できる。
【００４３】
（実施の形態３）
図７は、本発明の実施の形態である倒立顕微鏡を示す概念斜視図であり、図８は、図７に示した倒立顕微鏡の構造を示す分解斜視図である。
【００４４】
実施の形態３である倒立顕微鏡は、梁部１１ｄの上面に縁部１１ｄ１、１１ｄ２を有する点を除いて、実施の形態２である倒立顕微鏡と異なる点はない。このため、梁部１１ｄについて説明し、実施の形態２と同一の構成については同一の符号を付して説明を省略する。
【００４５】
倒立顕微鏡は、油侵対物レンズに用いるオイル、試料を溶かす溶媒、温度または湿度の管理に用いる液体等がステージ２から滴下することにより、ステージ２の下方域が汚染されやすい。
【００４６】
実施の形態３である倒立顕微鏡の梁部１１ｄは、装着した光学装置４の上面全域を覆う大きさを有しており、梁部１１ｄは、ステージ２から滴下したオイル、溶媒、液体等を上面で一旦受け止める。また、梁部１１ｄの上面両側縁部には、上方に突出する縁部１１ｄ１が形成してあり、後壁上部１１ｂおよび前壁上部１１ｃとともに梁部１１ｄの上面外周を取り囲んでいる。また、観察光が透過する透孔の周りには、上方に突出する縁部１１ｄ２が形成してあり、透孔を取り囲んでいる。これら縁部１１ｄ１、１１ｄ２は、梁部１１ｄの上面で一旦受け止めたオイル、溶媒、液体等が梁部１１ｄの上面側縁部から不規則に流れ落ちる事態を防止する。また、縁部１１ｄ１の一部には切欠１１ｄ３が設けてあり、梁部１１ｄの上面に溜まったオイル、溶媒、液体等は、この切欠１１ｄ３から外部に流れ出る。
【００４７】
実施の形態３である倒立顕微鏡の梁部１１ｄは、装着した光学装置４の上面全域を覆うので、オイル、溶媒、液体がステージ２から滴下しても梁部１１ｄで受け止められるので、装着した光学装置４の汚染を防止できる。また、受け止められたオイル、溶媒、液体等は、梁部１１ｄの上面外周に設けた切欠１１ｄ３から流れ出るので、縁部１１ｄ１、１１ｄ２から溢れ出て装着した光学装置４を汚染することもない。
【符号の説明】
【００４８】
１    顕微鏡本体
１ａ    基部
１ｂ    後壁部
１ｂ１    嵌合溝
１ｂ２    嵌合孔
１ｂ３    上面
１ｃ    前壁部
１ｃ１    嵌合溝
１ｃ３    上面
１ｄ    梁部
１０    下部構造体
１０ａ    基部
１０ｂ    後壁下部
１０ｂ４    メネジ
１０ｃ    前壁下部
１１    上部構造体
１１ｂ    後壁上部
１１ｂ４    長孔
１１ｃ    前壁上部
１１ｃ４    長孔
１１ｄ    梁部
１１ｄ１    縁部
１１ｄ３    切欠
２    ステージ
３    観察光学系
３１    対物レンズ
３２    結像レンズ
３６    接眼レンズ
４    光学装置
４ａ    凸部
４１    ミラー
５    光源
５ａ    凸部
６    レボルバ
７    準焦装置
８    鏡筒
９    透過照明装置
【図１】
0005586326.tif 000002
【図２】
0005586326.tif 000003
【図３】
0005586326.tif 000004
【図４】
0005586326.tif 000005
【図５】
0005586326.tif 000006
【図６】
0005586326.tif 000007
【図７】
0005586326.tif 000008
【図８】
0005586326.tif 000009